(57)【要約】【課題】液晶表示装置に一体的に形成されるタッチパネルセンサを有し、薄膜化が可能であって、且つ、液晶を駆動させる際に発生させる低周波ノイズによるタッチパネルの誤作動を防止可能とする、静電容量式タッチパネル付き液晶表示装置を提供する。【解決手段】液晶を駆動させるために設けられる画素電極部において、１つの画素電極を複数に分割して副画素電極を形成し、各副画素電極にそれぞれ副スイッチング素子を設け、１つの画素電極内において、隣り合う副画素電極に印加される電圧の極性を反転させて、１つの画素電極内において信号を平均化させる。【選択図】図４
2011257655.tif 000002
【特許請求の範囲】
【請求項１】
静電容量式タッチパネルセンサを備える液晶表示装置であって、
第一基材と、上記第一基材上に該第一基材側から第一透明電極部、第一誘電体層、第二透明電極部を備える静電容量式タッチパネルセンサと、上記タッチパネルセンサ上に第二誘電体層を介して設けられる液晶駆動用透明電極層とを備える第一基板、
第二基材と、上記第二基材上に直接または間接に形成される画素電極部とを備える第二基板、および
上記第一基板と上記第二基板との間に配置される液晶層を有しており、
上記画素電極部は、複数の画素電極と、該複数の画素電極それぞれに設けられるスイッチング素子を備えるアクティブマトリクス方式の画素電極部であって、１つの画素電極が２つ以上の副画素電極に分割されており、複数の副画素電極のそれぞれに副スイッチング素子が設けられており、
１つの画素電極内において、隣り合う副画素電極に印加される電圧の極性が反転することを特徴とする静電容量式タッチパネルセンサ付き液晶表示装置。
【請求項２】
静電容量式タッチパネルセンサを備える液晶表示装置であって、
第一基材と、上記第一基材上に該第一基材側から第一透明電極部、第一誘電体層、第二透明電極部を備える静電容量式タッチパネルセンサと、上記タッチパネルセンサ上に第二誘電体層を介して設けられる２色以上の着色部が繰り返し整列してなる着色層と、液晶駆動用透明電極層とを備える第一基板、
第二基材と、上記第二基材上に直接または間接に形成される画素電極部とを備える第二基板、および
上記第一基板と上記第二基板との間に配置される液晶層を有しており、
上記画素電極部は、１色の色画素電極を１画素単位として、複数の色画素電極と、該複数の色画素電極それぞれに設けられるスイッチング素子を備えるアクティブマトリクス方式の画素電極部であって、１つの色画素電極が２つ以上の副色画素電極に分割されており、複数の副色画素電極のそれぞれに副スイッチング素子が設けられており、
１色の色画素電極内において、隣り合う副色画素電極に印加される電圧の極性が反転することを特徴とする静電容量式タッチパネルセンサ付き液晶表示装置。
【請求項３】
上記画素電極が偶数の副画素電極に分割され、または、上記色画素電極が偶数の副色画素電極に分割されていることを特徴とする請求項１または２に記載の静電容量式タッチパネルセンサ付き液晶表示装置。
【発明の詳細な説明】
【技術分野】
【０００１】
本発明は、静電容量式タッチパネルセンサが、一体的に備わる液晶表示装置に関するものである。
【背景技術】
【０００２】
現在、表示装置と座標検出装置を組み合わせた、入力デバイスとしてのタッチパネルを備える液晶表示装置の普及が進んでいる。具体的には、例えば、販売機、ＡＴＭ装置、携帯電話、ゲーム機、パソコン等の表示画面において、画面に接触または接触に近い接近により入力を可能とする装置が例示される。上記タッチパネルを備える液晶表示装置は、通常、タッチパネルと液晶表示パネルとを個別に生産し、該液晶表示パネルの画面上（即ち液晶表示パネルの表示側基材面）にタッチパネルの接触側とは反対側の基材面を重ね、重なる２枚の基材面の外縁を接着し、基材間の非接着領域を空気層として組み立てられる。このように基材間に形成される空気層を介して液晶表示パネルとタッチパネルとを組み合わせてなるタッチパネルセンサ付き液晶表示装置（以下、従来技術１ともいう）が一般的であった（例えば、特許文献１）。
【０００３】
ただし従来技術１では、表示パネルに別個のタッチパネルを重ねるため、結果として製造されるタッチパネル付き液晶表示装置の厚みが増大するという問題があり、薄型化への支障となっていた。
【０００４】
これに対し、本出願人は、液晶表示装置と静電容量式タッチパネルとを一体的に製造する技術（従来技術２ともいう）を開発した（特許文献２）。従来技術２は、基材上に、まず静電容量式のタッチパネルセンサとして積層透明電極を形成し、次いで、絶縁性層などを介して着色層を形成し、さらに液晶駆動用の透明電極層を形成してなるカラーフィルタを基礎とするものである。そして、上記カラーフィルタと、別途製造された基材上に画素電極部を備える対向基板との間に液晶層を配置して、タッチパネル付き液晶表示装置が完成される。
【０００５】
従来技術２は、タッチパネルセンサと着色層間に基材を備える必要がないので、従来技術１に比べて、表示パネルの厚みを薄くすることができる。
【先行技術文献】
【特許文献】
【０００６】
【特許文献１】特開２００９−８６１８４
【特許文献２】特開２０１０−７２５８１
【発明の概要】
【発明が解決しようとする課題】
【０００７】
しかし、従来技術２では、タッチパネルセンサにおける積層電極と、液晶駆動用の電極との距離が近接したことによる電気的な課題があることがわかった。
【０００８】
即ち、静電容量式のタッチパネルセンサは、接触画面上において指などの導体の接触で発生する微小信号変化を検出する。一方、液晶表示装置において、液晶層を介して配置される液晶駆動用の透明電極層と画素電極部との間では、表示内容に応じて画素ごとに印加される電圧が異なり、この画素間における電圧の差異が低周波ノイズとして現れる。
【０００９】
従来技術１のごとく、別個に製造された液晶パネルとタッチパネルとを、空気層を介して重ねて固定化させる場合には、両者間に基材が存在し、且つ、空気層が絶縁層の役割を担うため、上記低周波ノイズは、タッチパネルセンサに影響を及ぼすことがなかった。しかしながら、従来技術２のごとく、タッチパネルセンサと液晶表示パネルセンサとの間に基材が存在せず、両者が接近して配置される構成では、液晶表示パネルで発生する低周波ノイズを、タッチパネルセンサが信号として検出してしまう場合があり、誤作動を引き起こす可能性があった。尚、上記誤作動の問題は、主として、アクティブマトリクス型の液晶表示装置を採用した場合における問題であった。
【００１０】
本発明は、上記問題に鑑みなされたものであり、液晶表示装置に一体的に形成されるタッチパネルセンサを有し、薄膜化が可能であって、且つ、液晶を駆動させる際に発生させる低周波ノイズによるタッチパネルの誤作動を防止可能とする、静電容量式タッチパネル付き液晶表示装置を提供することを目的とするものである。
【課題を解決するための手段】
【００１１】
本発明者は、液晶を駆動させるために設けられる画素電極部において、１つの画素電極を複数に分割して副画素電極を形成し、各副画素電極にそれぞれスイッチング素子を設け、１つの画素電極内において、隣り合う副画素電極に印加される電圧の極性を反転させて、１つの画素電極内において信号を平均化させることによれば、従来問題となっていた低周波ノイズを低減することができ、該低周波ノイズを信号として検知することによって生じるタッチパネルセンサの誤作動を防止することができることを見出し、本発明を完成させた。
【００１２】
即ち、本発明は、
（１）静電容量式タッチパネルセンサを備える液晶表示装置であって、第一基材と、上記第一基材上に該第一基材側から第一透明電極部、第一誘電体層、第二透明電極部を備える静電容量式タッチパネルセンサと、上記タッチパネルセンサ上に第二誘電体層を介して設けられる液晶駆動用透明電極層とを備える第一基板、第二基材と、上記第二基材上に直接または間接に形成される画素電極部とを備える第二基板、および上記第一基板と上記第二基板との間に配置される液晶層を有しており、上記画素電極部は、複数の画素電極と、該複数の画素電極それぞれに設けられるスイッチング素子を備えるアクティブマトリクス方式の画素電極部であって、１つの画素電極が２つ以上の副画素電極に分割されており、複数の副画素電極のそれぞれに副スイッチング素子が設けられており、１つの画素電極内において、隣り合う副画素電極に印加される電圧の極性が反転することを特徴とする静電容量式タッチパネルセンサ付き液晶表示装置、
（２）静電容量式タッチパネルセンサを備える液晶表示装置であって、第一基材と、上記第一基材上に該第一基材側から第一透明電極部、第一誘電体層、第二透明電極部を備える静電容量式タッチパネルセンサと、上記タッチパネルセンサ上に第二誘電体層を介して設けられる２色以上の着色部が繰り返し整列してなる着色層と、液晶駆動用透明電極層とを備える第一基板、第二基材と、上記第二基材上に直接または間接に形成される画素電極部とを備える第二基板、および上記第一基板と上記第二基板との間に配置される液晶層を有しており、上記画素電極部は、１色の色画素電極を１画素単位として、複数の色画素電極と、該複数の色画素電極それぞれに設けられるスイッチング素子を備えるアクティブマトリクス方式の画素電極部であって、１つの色画素電極が２つ以上の副色画素電極に分割されており、複数の副色画素電極のそれぞれに副スイッチング素子が設けられており、１色の色画素電極内において、隣り合う副色画素電極に印加される電圧の極性が反転することを特徴とする静電容量式タッチパネルセンサ付き液晶表示装置、
（３）上記画素電極が偶数の副画素電極に分割され、または、上記色画素電極が偶数の副色画素電極に分割されていることを特徴とする上記（１）または（２）に記載の静電容量式タッチパネルセンサ付き液晶表示装置、
を要旨とするものである。
【発明の効果】
【００１３】
本発明の静電容量式タッチパネル付き液晶表示装置は、表示側基板（第一基板）と、対向基板（第二基板）と、これらの間に配置される液晶層とから構成される液晶表示装置において、表示側基板内にタッチパネルセンサを設けることによって、タッチパネルセンサが液晶表示装置に一体的に設けられる構造を有している。従って、従来のタッチパネル付き液晶表示装置に比べて、厚みが小さく、薄型化が図られている。
【００１４】
しかも、画素電極部における１つの画素電極が複数の副画素電極に分割されており、１つの画素電極内における複数の副画素電極に印加される電圧が隣り合う副画素電極ごとに反転されることから、１つの画素電極内において信号を平均化させることが可能であり、この結果、液晶駆動用の電極から発生していた低周波ノイズを低減させることができる。したがって、該低周波ノイズにより、タッチパネルセンサの誤作動を良好に防止することができる。
【図面の簡単な説明】
【００１５】
【図１】本発明の一実施態様である静電容量式タッチパネルセンサ付き液晶表示装置を、基板面に略垂直に切断した際の断面概略図である
【図２】本発明の静電容量式タッチパネルセンサ付き液晶表示装置における第一透明電極部および第二電極部の積層状態の一例を示す上面概略図である。
【図３】本発明の一実施態様である静電容量式タッチパネルセンサ付き液晶表示装置における第二基板に設けられる画素電極部を含む回路図である。
【図４】本発明の別の実施態様である静電容量式タッチパネルセンサ付き液晶表示装置における第二基板に設けられる画素電極部を含む回路図である。
【図５】本発明の静電容量式タッチパネル付き液晶表示装置の駆動を説明するための説明図である。
【図６】実施例１におけるタッチパネルセンサの検出回路を示すブロック回路図である。
【図７】実施例および比較例を評価するための可動式タッチパネル感応検査装置の側面図である。
【図８】タッチパネルセンサが接触を感知する前後において、感知される信号強度の変化示すグラフである。
【発明を実施するための形態】
【００１６】
以下に、図面を用いて、本発明に静電容量式タッチパネルセンサ付き液晶表示装置（以下、単に「本発明の液晶表示装置」という場合がある）を実施するための形態について説明する。尚、以下に示す図面は、説明を容易にするために適宜、便宜的な寸法、あるいは寸法比で示す場合があるが、本発明を何ら限定するものではない。
【００１７】
図１は、本発明の一実施態様である静電容量式タッチパネルセンサ付き液晶表示装置１（以下、単に「液晶表示装置１」と略する場合がある）を、基板面に略垂直に切断した際の断面図である。液晶表示装置１は、第一基板（表示側基板）３０と、第二基板（対向基板）４０と、これらの間に配置される液晶層２０とから構成されている。液晶層２０は、対面する第一基板３０と第二基板４０とをシール部材１９により一定の距離をあけて張り合わせ、これよって確保された隙間に液晶材料を注入して形成される。図示はしないが、必要に応じて基板間の隙間を確保するために対面する基板面に柱状体を形成し、あるいは基板間にビーズ部材などを配置させてもよい。
【００１８】
第一基板３０には、第一基材２の一方側の面に、静電容量式タッチパネルセンサ用の第一透明電極部３と、第二透明電極部４とが第一誘電体層６を介して積層されている。本発明において液晶表示装置１内に一体的に設けられるタッチパネルセンサを構成する第一透明電極部３および第二透明電極部４は、公知の静電容量式タッチパネルセンサに採用され得る種々の透明積層電極の態様を任意選択して実施することができる。例えば、図２に示すように、図示しない第一基材２上に整列する複数のダイヤ形状がｘ方向に直線状に連結される複数列の第一透明電極部３と、第一透明電極部３を覆って設けられる第一誘電体層６と、第一誘電体層６上において整列する複数のダイヤ形状がｙ方向に直線状に連結される複数行の第二透明電極部４とにより構成される積層態様の例を示すものが例示されるが、これに限定されない。尚、複数の、第一透明電極部３、第二透明電極部４の少なくとも一端側には、それぞれ取出し電極５が設けられており、取出し電極部５は図示省略される金属配線と電気的に接続される。
【００１９】
上述する第二透明電極部４を覆って、第二誘電体層９が設けられ、続いて、遮光領域を形成するブラックマトリクス（ＢＭ）７が、格子状に設けられ、ＢＭ７によって区画される透過領域を覆って、着色層８が形成されている。着色層８は、液晶表示装置１においてフルカラー表示を可能とするため、赤色着色部８Ｒ、緑色着色部８Ｇ、青色着色部８Ｂが、マトリックス状に整列して繰り返し配置されている。尚、ＢＭ７は、セル組した際に、対向する副画素電極に対応する間隔で設けることが望ましい。
【００２０】
第一誘電体層６は、第一透明電極部３および第二透明電極部４間の電気的絶縁を目的に設ける層である。一方、第二誘電体層９は、電気的絶縁を発揮せしめるとともに、第二透明電極層４と、液晶駆動用透明電極層１１との距離ｄを確保するために設けられる層である。これら誘電体層を構成するための材料としては、従来公知の透明の絶縁性層を形成することができる材料を適宜選択して用いることができ、例えば透明性の紫外線硬化性樹脂、あるいは透明性の熱硬化性樹脂などを適宜使用することができる。また形成方法は、その厚みにもよるが、特に第一誘電体層６は、スピンコート法により形成材料を基材面に塗布し、その後、フォトリソグラフィ手法により形成することが一般的である。一方、第二誘電体層９は、一定の厚みを確保したいため、スクリーン印刷法等により形成することが望ましいが、本発明の製造は、これに限定されるものではない。
【００２１】
尚、本発明の液晶表示装置は、着色層を必ずしも必要とするものではなく、着色層を設けずに白黒表示の液晶表示装置としてもよく、あるいは一色の着色層からなる単色の液晶表示装置として構成してもよい。また、フルカラー表示の液晶表示装置の場合において、赤、緑、青の３色の着色部からなる着色層以外にも、赤、緑、青、白の４色の着色部（ただし、白は単なる透過部であってよい）からなる着色層、あるいは、シアン、マゼンダ、イエローの３色の着色部からなる着色層等であってよい。
【００２２】
また上述では、フルカラー表示可能な着色層８を備える態様の第一基板３０を示したが、本発明において白黒表示、あるいは一色表示などの第一基板を採用する場合であっても、第一基材上に、第一透明電極部、第一誘電体層、第二透明電極部を順次形成した後、次いで、第二誘電体層を形成し、さらにその上に、遮光領域であるブラックマトリクス形成してもよく、あるいは、第二誘電体層上に直接に液晶駆動用透明電極層を形成してもよい。
【００２３】
着色層８上に必要に応じて保護層１０を設けた後、液晶駆動用透明電極層１１（所謂、ＩＴＯ膜など）を設けて、必要に応じて駆動用液晶の配向性を規定する配向膜１８を設け、第一基板３０が構成される。以上のとおり、本発明における第一基板３０は、従来の液晶表示装置におけるカラーフィルタに、タッチパネルセンサが一体的に設けられて構成されている。ここで一体的とは、図１に示すとおり、着色層８とタッチパネルセンサを構成する第二透明電極部４との間に基材が存在せずに、各層が積層されて構成されていることを意味する。このため、タッチパネルセンサ（タッチパネル部材）と液晶表示装置用カラーフィルタなどの表示側基板を別個に製造し、次いでこれらの一方側の基材面を貼り合わせて形成する従来のタッチパネルセンサ付き液晶表示装置に比べて、薄膜化が図られている。加えて、本構成では、基材２の片面に、カラーフィルタおよびタッチパネルセンサが形成されているため、必要に応じて、第一基板３０が完成した後に、基材２を研磨によりさらに薄膜化することが可能となる。
【００２４】
ただし、このように薄膜化が図られた結果、液晶駆動用透明電極層１１の液晶層２０とは反対側の面から第二透明電極部４までの距離ｄが短くなるために、液晶駆動用の電極側から発生する低周波ノイズを、タッチパネルセンサにおける電極部が感知してしまい、タッチパネルセンサの誤作動を招く恐れがあった。したがって、装置の態様にもよるが、従来技術において上記低周波ノイズをタッチパネルセンサが感知することを防止するためには、距離ｄを１００μｍ以上とすることが求められていた。しかしながら、本発明の完成によって、後述するとおり、駆動用液晶電極側の低周波ノイズの発生を低減あるいは防止することが可能であるため、距離ｄを１００μｍ未満、さらには、５０μｍ以下、より望ましくは３５μｍ以下と小さくすることができ、好適に薄膜化を図ることができる。
【００２５】
また、従来技術１に代表される従来のタッチパネルセンサ付き液晶表示装置においては、互いに貼りあわされる基材が、照明等の環境光（外光）や映像光等を反射し得る界面となり映像の透過率を設計値より減少するなどの支障があったが、本発明ではこのような支障も解消される。
【００２６】
一方、第二基板４０は、第二基材１２上に、画素電極部が設けられ、さらに必要に応じて画素電極部を覆って、駆動用液晶の配向性を規定する配向膜１８を設けて構成されている。尚、第二基板４０は、一般的に、ＴＦＴ基板、あるいはアレイ基板などと呼ばれる液晶表示装置用基板である。上記画素電極部は、赤色画素電極（Ｒ画素電極）１５、緑色画素電極（Ｇ画素電極）１６、青色画素電極（Ｂ画素電極）１７が、それぞれ赤色着色部８Ｒ、緑色着色部８Ｇ、青色着色部８Ｂに平面視上、重なる位置に設けられている（断面視では各着色部と各色画素電極部とが上下に対応している）。本発明において、特にフルカラー表示可能な態様が採用される場合には、１画素単位は、１色の画素電極に相当するものとして扱われる。即ち、図１を用いて言えば、１つのＲ画素電極１５を１画素単位、１つのＧ画素電極１６を１画素単位、１つのＢ画素電極１７を１画素単位として扱う。
【００２７】
本発明において、１画素単位に該当する画素電極は、２以上の副画素電極に分割され、それぞれの副画素電極に副スイッチング素子が設けられることを１つの特徴とする（以下、第一の特徴ともいう）。図１では、断面視上、赤色画素電極１５は、２つの赤色副画素電極（Ｒ副画素電極）１４Ｒを含み、緑色画素電極１６は、２つの緑色副画素電極（Ｇ副画素電極）１４Ｇを含み、青色画素電極１７は、２つの青色副画素電極（Ｂ副画素電極）１４Ｂを含んで構成されており、各副画素電極には、それぞれ、赤色副画素電極用副スイッチング素子（Ｒ副スイッチング素子）１３Ｒ、緑色副画素電極用副スイッチング素子（Ｇ副スイッチング素子）１３Ｇ、青色副画素電極用副スイッチング素子（Ｂ副スイッチング素子）１３Ｂが設けられている。
【００２８】
また本発明におけるさらなる特徴は、上述のとおり１つの画素電極を分割して構成する２以上の副画素電極について、隣り合う副画素電極に印加される電圧の極性が反転される点にある（以下、第二の特徴ともいう）。本発明の第一の特徴と第二の特徴とを説明するために、図３に、本発明の一実施態様における第二基板に設けられる画素電極部を含む回路図を示す。
【００２９】
図３は、図示しない第二基材の一方側の面にＲ画素電極１５、Ｇ画素電極１６、Ｂ画素電極１７がマトリックス状に整列して形成されてなる画素電極部を示すものである。図中、点線の四角枠で囲まれる１つのＲ画素電極１５は、縦横２列に略等分され４つのＲ副画素電極１４Ｒを含んで構成されている。また、Ｇ画素電極１６、およびＢ画素電極１７についても、同様に、１つの画素電極が４つの副画素電極に分割されて構成されている。また、それぞれの副画素電極には、副スイッチング電極が設けられて構成されている。即ち、本発明の第一の特徴が示されている。
【００３０】
そして、１つのＲ画素電極１５を構成する、４つのＲ副画素電極１４Ｒは、互いに隣り合うＲ副画素電極１４Ｒが異なる極性となるよう印加される電圧の極性を反転させるよう構成されている。各副画素電極に印加される電極の極性は、図中、プラス（＋）とマイナス（−）とで示した。また、Ｇ画素電極１６、およびＢ画素電極１７についても、同様に、１つの画素電極を構成する４つの副画素電極は、１つの画素電極内において、互いに印加される電圧の極性が反転するよう構成されている。即ち、本発明の第二の特徴が示されている。
【００３１】
本発明の液晶表示装置は、上述のとおり第一の特徴および第二の特徴を有することにより、１つの画素電極内において信号を平均化させることを可能とする。上述では、フルカラー表示可能な液晶表示装置１における本発明の特徴を具体的な態様を用いて説明したが、白黒表示、あるいは１色表示である本発明の液晶表示装置においても、同様に、１つの画素電極を複数に分割し、１つの画素電極内において、隣り合う副画素同士に印加される電圧の極性を反転せしめ、信号を平均化させることができる。この結果、液晶表示に関連する電極から発生する低周波ノイズを低減または防止することができ、該低周波ノイズをタッチパネルセンサが感知して誤作動を起こすという従来の問題を解決することができる。したがって、タッチパネルセンサ付き液晶表示装置において、上記第一の特徴および第二の特徴を備えることが重要である。
【００３２】
本発明において、１つの画素電極を複数の副画素電極に分割する態様は、図３に示す態様に限定されるものではない。本発明においては、１つの画素電極を２以上の副画素電極に分割すればよく、分割数は偶数であると奇数であるとを問わない。ただし、１つの画素電極内において信号を平均化させるという趣旨からは、偶数個に分割され、隣り合う副画素電極の電圧の極性を反転させた場合の方が、より正確に信号を平均化させることができるため、好ましい。ただし、例えば、１つの画素電極を縦横３×３の副画素電極に分割するなど、１つの画素電極を奇数個に分割した場合であっても、信号の平均化の効果が発揮され、好適に低周波ノイズを低減することができる。
【００３３】
また、１つの画素電極を構成する複数の副画素電極は、図３に示すように縦横同数に整列するよう分割されてもよいし、一方方向に並列する態様（例えば、４個の副画素電極が、横一列に並ぶなど）であってもよい。特に、図４に示す実施態様のごとく、列方向に並列する走査線ＧＬの伸長方向に並列する方向に画素電極を分割して複数の副画素電極を並べることにより、さらに低周波ノイズを低減することが可能となり好適である。また、図３および図４では、複数の副画素電極は、いずれも略同面積に分割された態様を示したが、本発明の趣旨を逸脱しない範囲において、１つの画素電極を分割して形成される副画素電極の面積は、異なっていてもよい。
【００３４】
尚、本発明の画素電極は、一般的に、列方向に並列する複数の信号線ＳＬと、複数の信号線ＳＬが接続する信号駆動回路７４と、行方向に並列する複数の走査線ＧＬと、複数の走査線ＧＬが接続する走査駆動回路７５とを有する。一方、各副画素電極には、それぞれ副スイッチング素子（図中、１３Ｒ、１３Ｇ、１３Ｂとして示す）を有しており、各副スイッチング素子は、信号線ＳＬおよび走査線ＧＬと電気的に接続されている。一般的には、信号駆動回路７４および走査駆動回路７５は、コントローラ（図示せず）に接続され、該コントロールから出力されるクロック信号やラッチパルスなどの制御信号を受け、液晶表示の制御がなされる。上記画素電極部と回路との関係は、液晶表示装置の対向基板（所謂、ＴＦＴ基板、アレイ基板）として公知の基板における態様と同様である。
【００３５】
上述のとおり構成される液晶表示装置１は、一般的に、図５に示すとおり、表示面側６０を上面にして、第一基材２と第二基材１２との間の適切な位置に、フレキシブルプリント回路（ＦＰＣ）７３などの回路を介して、映像情報処理部７０に接続される。また同様に、第一基材２と第二基材１２との間の適切な位置に、フレキシブルプリント回路（ＦＰＣ）８３などの回路を介して、入力情報処理部８０に接続される。またさらに、透過型液晶表示装置の場合には、第二基材１２の背面側に面光源装置（バックライト）が設置される（図示せず）。あるいは、液晶表示装置１が反射型液晶表示装置である場合には、面光源装置は用いずに、画素電極にアルミニウムなどの反射板を用いるなど、従来公知の反射型液晶表示装置の態様を適宜採用してもよい。映像情報処理部７０および入力情報処理部８０は、液晶表示装置１の駆動を制御する制御部と理解することができる。
【００３６】
表示側面６０は、液晶表示による映像を表示するとともに、タッチパネルの入力面として機能する。一般的には、表示側面６０の外周における一定領域が非表示領域６２となり、非表示領域６２で囲まれる領域が表示領域６１となり、タッチパネルセンサが指などの接触または接触に近い状態にあることを感知する領域は、表示領域６１と略同等である。
【００３７】
映像処理部７０は、映像情報に基づき液晶表示（画素表示）を制御するための液晶駆動回路７２を含み、該映像情報に基づく映像を表示領域６１に表示するよう駆動する。一方、入力情報処理部８０は、タッチパネルセンサ駆動回路８２を含み、指などの導体が表示領域６１に接触あるいは接触に近い状態にある場合に、その位置を特定（検出）し得るよう構成されている。また、入力情報処理部８０と映像処理部７０とは、接続されており、入力情報処理部８０において得られた入力情報を映像情報処理部７０に送信し、入力情報に基づいた映像情報を作成し、当該映像情報に基づいた映像を、表示領域に表示することもできる。
【００３８】
尚、上述する本発明の第二の特徴である、１つの画素電極を分割してなる２以上の副画素電極について、隣り合う副画素電極に、それぞれ印加される電圧の極性を反転させる極性反転回路は、通常、映像情報処理部７０に設けられるが、これに限定されない。画素電極の極性を反転させる回路については、従来公知の技術に従い実施してよく、例えば、特願昭６０−２１１４２３号、特許第４１８２１００号、特開２００２−３３３８７０号などに開示されているため、ここでは説明を割愛する。本発明において、特筆すべきは、タッチパネルセンサと、液晶表示パネルとを一体的に形成し、且つ、液晶表示パネルにおける画素電極において、１つの画素電極を２以上の副画素電極に分割し、さらに、１画素電極内における複数の副画素電極に印加される電圧の極性を反転させる点にあり、このように構成することによって、静電容量式タッチパネルセンサ付き液晶表示装置の薄膜化と、薄膜化により発生するタッチパネルセンサの誤作動を防止することができる点にある。また特に、フルカラー表示可能な本発明の静電容量式タッチパネルセンサ付き液晶表示装置においては、色画素電極を１画素単位とし、これを２以上の副画素電極に分割し、１つの色画素電極内において含まれる副画素電極に印加される電圧の極性を反転させることによって信号を平均化させることによって、より小さい領域内において信号の平均化が実現され、好適に低周波ノイズの発生を防止することができる。
【００３９】
また、本発明の静電容量方式タッチパネルセンサ付液晶表示装置において、１画素電極を分割して２以上の副画素電極を設け、これらに印加される電圧の極性を反転させる構成以外は、従来公知の液晶表示装置に関する技術、およびタッチパネルセンサに関する技術を適宜選択して採用してよい。例えば、本発明において、図１に示す液晶表示装置１において、第一基材２の液晶層２０とは反対側の面、および第二基材１２の液晶層２０とは反対側の面にそれぞれ偏光板を設けてもよいし、あるいは、上記偏光板を設けずに、着色層８の液晶層２０側の面などに、光の位相差（リタデーション）変化に対して光学補償することができる位相差制御機能を有する位相層を設けてもよい。上記位相差層とは、架橋性液晶材料を塗布して所望の方向に配向させ、その状態で液晶材料を架橋させて固定化させて形成することができる。位相差制御機能層については、例えば、特開２００７−３３２２６５、あるいは特開２００７−２０６３０７に開示される。
【００４０】
また第一基板３０側に設けられる、着色層８、ＢＭ７、保護層１０、液晶駆動用透明電極層１１、配向膜１８についても、従来公知の材料および製造方法を適宜選択して形成することができる。一方、第二基板４０側に形成される各副画素電極、配向膜１８についても製造方法および用いられる材料は、従来公知のものであってよい。また第一、第二基材は、透明性のガラス基材、あるいは透明性フィルムなどであってよく、第一、第二基材として、異なる材料より形成される基材を用いてもよい。また各副スイッチング素子としては、アクティブマトリクス方式のスイッチング素子として、薄膜トランジスタ（ＴＦＴ）、薄膜ダイオード（ＴＦＤ）などであってよく、ＴＦＴには、アモルファス・シリコンや、ポリ（多結晶）シリコンなどが好適に用いられる。加えて、第一基板３０および第二基板４０の間に設けられる液晶層２０を構成する液晶材料についても、液晶表示装置の駆動用液晶材料として用いられ得る公知の材料を適宜使用してよい。
【実施例】
【００４１】
（実施例１）
（第一基板の作製）
第一基板の透明基材として、３７０ｍｍ×４７０ｍｍ、厚み０．５ｍｍのガラス基材（無アルカリガラス、ＮＨテクノグラス社製、ＮＡ３５）を準備し、超純水を用いて界面活性剤処理し、引き続き超音波洗浄処理により洗浄した。尚、上記ガラス基材を用い、静電容量式タッチパネルセンサ付き液晶表示装置が２７面取りできるよう設計して以下のとおり作成し、そのうちの任意の一面を実施例１とした。
【００４２】
（金属配線の製版）
外周配線部の抵抗を補助する金属配線として、銀パラジウム銅合金を上記ガラス基材全面にスパッタにより８００ｎｍの厚さで製膜した。引き続き、ポジ感光性材料（ＡＺマテリアルズ社製）を用い、フォトリソグラフィ手法により、非表示領域に金属配線パターンと電極取り出し部のパターンを焼き付けた。さらにエッチャントとして関東化学製の混酸ＳＥＡ−５を用い、不要部分を除去し、引き続いて不要となったポジ感光性材料を水酸化カリウム水溶液で剥離して金属配線パターンを形成した。
【００４３】
（第一透明電極部の形成）
次に製版された金属配線上に、第一透明電極部を形成するために、銀パラジウム銅合金を用いて、金属配線を設けた側にスパッタにより全面に３０ｎｍの厚さでＩＴＯを製膜した。そして、金属配線と同様のポジ感光性材料を用いてフォトリソグラフィの手法により、ダイヤ形状が列方向に連続する複数のｘ電極からなるパターンで第一透明電極部を形成した。このとき、第一透明電極部を表示領域内に形成し、その端部が、非表示領域内に形成される上記金属配線と電気的に接続するようパターニングした。尚、ＩＴＯのエッチャントとしては塩化第二鉄水溶液を用いた。
【００４４】
（第一誘電体層の製膜）
上述で形成した第一透明電極部を覆って、基材面略全面に透明性硬化性樹脂含有塗工材料（ＫＯＬＯＮ社製、カタログ番号Ａ−１３）を用いて、スピンコート法で塗布し、続いて、フォトリソグラフィ手法により、第一誘電体層を形成した。
【００４５】
（第二透明電極部の形成）
さらに上記第一誘電体層上に、第二透明電極部を形成した。第二透明電極部は、第一透明電極部の連結方向と直行する方向においてダイヤ形状を連結して複数の列からなるパターンで形成したこと以外は、第一透明電極部と同様に形成した。尚、本実施例においてガラス基材上に形成する第一透明電極部、第一誘電体層、および第二透明電極部は、図２で示す積層態様を採用した。
【００４６】
（第二誘電体層の製膜）
第二誘電体層は、透明性硬化性樹脂含有塗工材料として、十条ケミカル社製、カタログ番号レイキュア４１００−３とレイキュア４１００−２とを重量比９５：５で混合した透明ペーストを用い、スクリーン印刷法により、膜厚み３０μｍになるよう形成した。
【００４７】
（ブラックマトリクスおよび着色層の製膜）
次に上記誘電体層上面に、一般的な液晶表示装置におけるブラックマトリクス（ＢＭ）形成手法に倣い、下記ＢＭ形成用レジストを用いてＢＭを形成した。より具体的には、誘電体層上に、下記ＢＭ形成用レジストをスピンコート法により塗工し、次いで、乾燥、露光、現像、加熱の一連のプロセスからなるフォトリソグラフィの手法により、格子状のパターンで構成されるＢＭを形成した。尚、ＢＭは、後述で記載する第二基板に設けられる色画素電極を分割してなる副色画素電極の態様にあわせて、１つのＢＭの格子内に１つの副色画素電極が対面可能なよう、デザインした。即ち、本実施例では、１つの色画素電極を縦横２×２に分割して４つの副色画素電極を設けることを予定するため、１つの色画素電極を取り囲むＢＭの格子内をさらに縦横２×２と区分する格子状のＢＭを形成した。ＢＭ層の膜厚みは、１．２μｍとした。
【００４８】
一般的な液晶表示装置における着色層形成手法に倣い、赤色着色部、緑色着色部、青色着色部が帯状のパターンで順に繰り返される配列となるよう構成される着色層を形成した。尚、各着色部の１本の帯の幅方向は、ＢＭの格子２つ分を覆う幅で形成し、着色層の膜厚みは、２．０μｍとした。
【００４９】
（遮光画素確定層形成用レジスト）
下記に示すとおり、着色材料として顔料を用い、分散液組成物（顔料、分散剤及び溶剤を含有する）にビーズを加え、分散機で３時間分散させ、その後ビーズを取り除いた分散液とクリアレジスト組成物（ポリマー、モノマー、添加剤、開始剤及び溶剤を含有する）とを混合して、遮光画素確定層形成用レジストを調製した。尚、分散機としては、ペイントシェーカーを用いた。
・黒顔料・・・・・１４．０重量部  （大日精化工業（株）製ＴＭブラック♯９５５０）
・分散剤・・・・・１．２重量部  （ビックケミー（株）製Ｄｉｓｐｅｒｂｙｋ１１１）
・ポリマー・・・・・２．８重量部  （昭和高分子（株）製ＶＲ６０）
・モノマー・・・・・３．５重量部  （サートマー（株）製ＳＲ３９９）
・添加剤・・・・・０．７重量部  （綜研化学（株）製Ｌ−２０）
・開始剤・・・・・１．６重量部  （２−ベンジル−２−ジメチルアミノ−１−（４−モルフォリノフェニル）−ブタノン−１）
・開始剤・・・・・０．３重量部  （４，４’−ジエチルアミノベンゾフェノン）
・開始剤・・・・・０．１重量部  （２，４−ジエチルチオキサントン）
・溶剤・・・・・７５．８重量部  （エチレングリコールモノブチルエーテル）
【００５０】
続いて、保護層材料として、透明性硬化性樹脂含有塗工材料（ＫＯＬＯＮ社製、カタログ番号Ａ−１３）をスピンコート法により塗布して乾燥させて膜厚み１．５μｍの保護層を形成した後、該保護層上に、ＩＴＯをスパッタリングして液晶駆動用透明電極層を形成し、配向性樹脂としてポリイミド樹脂を塗布し、乾燥させた後、ラビング処理して配向膜を形成し、これを第一基板とした。尚、第二透明電極部の液晶層側の面から、液晶駆動用透明電極層の液晶層とは反対側の面までの距離は、約３３．５μｍとした。これにポリイミド樹脂を転写し、焼成後、ラビング処理を施し、第一基板を作製した。
【００５１】
（第二基板の作製）
第二基板の透明基材として、３７０ｍｍ×４７０ｍｍ、厚み０．５μｍのガラス基材（無アルカリガラス、ＮＨテクノグラス社製、ＮＡ３５）を準備し、超純水を用いて界面活性剤処理し、引き続き超音波洗浄処理により洗浄した。
【００５２】
上記ガラス基材上に、１つの色画素電極のサイズを１００μｍ×３００μｍ（スイッッチング素子部を含むサイズ）とし、この領域をさらに縦２×横２に略等分に４分割し、４つの副色画素電極を形成するよう設計した。そして、上記設計に従い、ＩＴＯよりなる副色画素電極部と、副色画素電極部ごとに設けられる副スイッチング素子部を、従来公知のアレイ基板プロセスに従い形成した。上記副色画素電極部および副スイッチング素子部全体を覆うようにポリイミド樹脂を塗布し、乾燥させた後、ラビング処理を施して配向膜を形成し、第二基板を作製した。
【００５３】
（セル組工程）
上述のとおり作製した第一基板におけるＢＭで格子状に区画される領域と、第二基板における各副色画素電極とが、互いに対面するよう位置合わせし、基板間に液晶層を形成するための一定の間隔の隙間を確保した状態で、シール材により貼り合わせ、上記隙間に駆動用液晶材料を注入して液晶層を形成し、静電容量式タッチパネル付き液晶表示パネルを得た。
【００５４】
次に、フレキシブルプリント回路（ＦＰＣ）を用い、該ＦＰＣの端子と、第一基板の金属配線の端部とを電気的に接続して、ＦＰＣを基板にとりつけた。ＦＰＣの他端はタッチパネル信号検出回路を備えるタッチパネル制御用プリント基板に接続した。また、第二基板における色画素電極に映像情報を送るために、第二基板にＦＰＣを接続し、且つＦＰＣの他端を、液晶駆動回路（液晶表示専用のマイクロコントローラ）を備える液晶表示用プリント基板に接続した。上記液表表示用プリント基板には、１つの色画素電極領域内に設けられた４つの副色画素電極に関し、隣り合う副色画素電極同士において、互いに印加される電圧の極性を反転させるための極性反転機構を設けた。また、第一基板の透明基材（第一基材）の露出側面および第二基板の透明基材（第二基材）の露出面側に、液晶表示装置用の偏光板を貼り付けた。以上をもって本発明の静電容量式タッチパネル付き液晶表示パネルが完成し、これを実施例１とした。
【００５５】
尚、本実施例１では、液晶表示装置を透過する光の偏光機能を発揮させるために、上述のとおり偏光板を用いたが、本発明はこれに限定されない。偏光板を使用する代わりに、例えば、第一基板の透明基材（第一基材）と液晶層との間の任意の位置に、架橋性液晶材料を所定の方向に配向させて固定化してなる位相差層を形成してもよい。
【００５６】
ここで、実施例１のタッチパネルセンサ用プリント基板において、表示領域に指などの導体が接触した際の、接触位置の検出回路を示すブロック回路図を図６に示す。即ち、実施例１のタッチパネルセンサにおける接触位置の検出回路は、表示領域において設けられる、列方向に伸長する複数の第一透明電極部（図６中、センサ電極Ｘ１、Ｘ２、Ｘ３・・・と示す）と、行方向に伸長する複数の第二透明電極部（図６中、センサ電極Ｙ１、Ｙ２、Ｙ３・・・と示す）とに接続する切り替え部、基準クロックによって指示される規定時間に基づき、定電流源から各センサへと流れる電流の接続のオン、オフを切り替えるための高速スイッチ、積分用コンデンサ、インパルスノイズを取り除くための低域通過フィルタ、基準電圧と積分用コンデンサの電圧を比較することで積分用コンデンサが基準電圧に達するまでの時間を認識するための比較器、各センサ電極を順次切り替えて、上記積分用コンデンサの電圧の上昇時間を検出することにより、容量の変化しているセンサ電極を検出し、接触位置を算出するためのタッチ検出演算処理部とを有して構成されている。尚、上記検出回路は、本発明における静電容量式タッチパネルセンサの検出回路の一態様であって、何ら本発明を限定するものではない。
【００５７】
（比較例１）
格子状のＢＭの格子のサイズを、１つの色画素電極について分割せずに形成したこと（即ち、実施例１のＢＭの格子サイズに比べて、縦略２倍、横略２倍の大きさの格子としたこと）、および、各着色部の１本の帯の幅方向は、ＢＭの格子１つ分を覆う幅で形成したこと以外、実施例１に用いた第一基板と同様の基板を作成し、比較例第一基板とした。
【００５８】
また、１つの色画素電極のサイズを実施例１と同様に１００μｍ×３００μｍ（スイッチング素子部を含むサイズ）とし、この領域をさらに分割せず、隣り合う色画素電極それぞれに印加される電極を反転させたこと以外は、実施例１に用いた第二基板と同様の基板を作成し、比較例第二基板とした。
【００５９】
上述のとおり得た、比較例第一基板におけるＢＭで区画された着色部と、比較例第二基板における各色画素電極とが、互いに対面するよう位置合わせしたこと以外は、実施例１と同様にセル組工程を実施し、静電容量式タッチパネル付き液晶表示パネルを得て、これを比較例１とした。
【００６０】
＜信号対雑音比Ｓ／Ｒの測定＞
実施例１および比較例１として得た、静電容量式タッチパネルセンサ付き液晶表示装置について、表示領域に導体が接触した際の信号対雑音比（Ｓ／Ｒ）を測定するために、図７に示す可動式タッチパネル感応検査装置１０１（以下、単に「検査装置１０１」ともいう）を作製した。検査装置１０１は、固定台１０２の上面に、支持棒１０４が鉛直方向に起立した状態で、その一端を固定させ、支持棒１０４に、ばね１０３を巻きつけるとともに、支持棒１０４が貫通可能な穴部が２箇所空いた可動台１０５を準備し、穴部間に導電性治具１０６を固定し、該穴部に支持棒を貫通させて作成される。可動台１０５は、ばね１０３の上端に置かれた状態で、モーターで上下に運動することができるよう構成されている。また導電性治具１０６は、人間の指に相当する微弱な電流が流れるよう配線されている。
【００６１】
ここで、固定台１０２上に静電容量式タッチパネル付き液晶表示装置１０７を、表示領域を上面側にして設置し、可動台１０５を下方に移動させて導電性治具１０６の先端を表示領域面に接触させると、タッチパネルセンサが接触を信号として感知し、信号強度が増大する。即ち、縦軸に信号強度、横軸に時間をとり、タッチパネルが感知する信号の変化をグラフに表わすと、図８に示すとおり、導電性治具１０６の接触前の感知信号強度の平均値ｓ１と、導電性治具１０６接触時の感知信号強度の平均値ｓ２との差Ｓと、導電性治具１０６接触時における感知信号の最大振幅Ｎとの比率Ｓ／Ｎを求めることにより、タッチパネルセンサが感知する信号が、主として導電性治具１０６体の接触にのみ基づいた信号であるか、同時にノイズを拾っているかを判断することができる。
【００６２】
上述に従い、検査装置１０１に、実施例１を、表示側領域を上面にして設置し、可動台１０５を下方に移動させて、導電性治具１０６の先端を表示領域の面に接触させたときのＳ／Ｎを求めた。尚、本実施例では、第一基板に接続されたタッチパネルセンサ用プリント基板を、さらにパソコンに接続し、タッチパネルセンサが感知する信号強度をモニタし、解析した。サンプリング周波数を１００Ｈｚとして、上記測定を１０秒間にわたり５回実施して、求められたＳ／Ｎの平均値は、５．２であった。
【００６３】
実施例１と同様に、比較例１においてもＳ／Ｎを５測定し、平均値を求めたところ３．１であった。
【００６４】
上述の結果から、実施例１では、明らかに、導電性治具１０６が表示側領域に接触している時における信号強度の振れ幅が比較例１よりも小さく、比較例１では、導体の接触時に感知された信号以外にも有意にノイズを拾っていることが確認された。実施例１と比較例１とでは、実施例１が、１つの色画素電極を４つに分割して副色画素電極を設け、１つの色画素電極内における４つの副色画素電極間で電圧の極性を反転させたのに対し、比較例１が、色画素電極の分割をせずに、隣り合う色画素電極の極性を反転させたこと以外に、相違しないことから、実施例１の上記構成が、液晶表示に関する電極において発生するノイズを低減させ、結果として、タッチパネルセンサが感知するノイズを低減することができたと思われる。
【符号の説明】
【００６５】
１：静電容量式タッチパネルセンサ付き液晶表示装置、２：第一基材、３：第一透明電極部、４：第二透明電極部、５：取出し電極、６：第一誘電体層、７：ブラックマトリクス（ＢＭ）、８：着色層、８Ｒ：赤色着色部、８Ｇ：緑色着色部、８Ｂ：青色着色部、９：第二誘電体層、１０：保護層、１１：液晶駆動用透明電極層、１２：第二基材、１３Ｒ：赤色副画素電極用副スイッチング素子（Ｒ副スイッチング素子）、１３Ｇ：緑色副画素電極用副スイッチング素子（Ｇ副スイッチング素子）、１３Ｂ：青色副画素電極用副スイッチング素子（Ｂ副スイッチング素子）、１４Ｒ：赤色副画素電極（Ｒ副画素電極）、１４Ｇ：緑色副画素電極（Ｇ副画素電極）、１４Ｂ：青色副画素電極（Ｂ副画素電極）、１５：赤色画素電極（Ｒ画素電極）、１６：緑色画素電極（Ｇ画素電極）、１７：青色画素電極（Ｂ画素電極）、１８：配向膜、１９：シール部、２０：液晶層、３０：第一基板（表示側基板）、４０：第二基板（対向基板）、６０：表示側面、６１：表示領域、６２：非表示領域、７０：映像情報処理部、７１：液晶表示用プリント基板、７２：液晶駆動回路、７３：フレキシブルプリント回路（ＦＰＣ）、７４：信号側駆動回路、７５：走査側駆動回路、８０：入力情報処理部、８１：タッチパネルセンサ用プリント基板、８２：タッチパネルセンサ駆動回路、８３：フレキシブルプリント回路（ＦＰＣ）、１０１：可動式タッチパネル感応検査装置、１０２：固定台、１０３：ばね、１０４：支持棒、１０５：可動台、１０６：導電性治具、１０７：静電容量式タッチパネル付き液晶表示装置
【図１】
2011257655.tif 000003
【図２】
2011257655.tif 000004
【図３】
2011257655.tif 000005
【図４】
2011257655.tif 000006
【図５】
2011257655.tif 000007
【図６】
2011257655.tif 000008
【図７】
2011257655.tif 000009
【図８】
2011257655.tif 000010